(57)【要約】【課題】基礎及び占有面積の縮小化を図る。【解決手段】第１のガス遮断器１４と第２のガス遮断器１５とを基礎の同一線１６上に配置して、第１のガス遮断器１４のブッシング１７，１８を充電部１７ａ，１８ａ間が少なくとも絶縁上で必要な気中絶縁距離ｄになるように線１６上で同一方向に所定の角度で傾斜させ、第２のガス遮断器１５のブッシング１９，２０を充電部１９ａ，２０ａ間が少なくとも絶縁上で必要な気中絶縁距離ｄになるように、第１のガス遮断器１４のブッシングとは逆方向に線１６上で同一方向に所定の角度で傾斜させ、第１のガス遮断器１４のブッシング１７と第２のガス遮断器１５のブッシング１９との各充電部１７ａ，１９ａ間が少なくとも必要な気中絶縁距離ｄになるようにした【選択図】　　　　図１
2004040980.tif 000002
【特許請求の範囲】
【請求項１】
先端の充電部が気中接続される一対のブッシングをそれぞれ両端に備えた第１のガス遮断器及び第２のガス遮断器からなるガス絶縁開閉装置において、上記第１のガス遮断器と上記第２のガス遮断器とを基礎部の同一線上に配置して、上記第１のガス遮断器の上記ブッシングを上記充電部間が必要な気中絶縁距離になるように上記線上で所定の角度で同一方向に傾斜させ、上記第２のガス遮断器の上記ブッシングを上記充電部間が必要な気中絶縁距離になるように、上記第１のガス遮断器の上記ブッシングとは逆方向に上記線上で所定の角度で同一方向に傾斜させ、上記第１のガス遮断器の上記ブッシングを上記第２のガス遮断器とは反対側に傾斜するようにして、上記第１のガス遮断器の上記ブッシングと上記第２のガス遮断器の上記ブッシングとの上記各充電部間が必要な気中絶縁距離になるようにしたことを特徴とするガス絶縁開閉装置。
【請求項２】
先端の充電部が気中接続される一対のブッシングをそれぞれ両端に備えた第１のガス遮断器及び第２のガス遮断器からなるガス絶縁開閉装置において、上記第１のガス遮断器を基礎部の第１の線上に配置して、上記第１のガス遮断器の上記ブッシングを上記充電部間が必要な気中絶縁距離になるように上記第１の線上で所定の角度で同一方向に傾斜させ、上記第２のガス遮断器を上記基礎部の上記第１の線と平行な第２の線上に配置して、上記第２のガス遮断器の上記ブッシングを上記充電部間が必要な気中絶縁距離になるように、上記第１のガス遮断器の上記ブッシングとは逆方向に所定の角度で同一方向に傾斜させて、上記両線の直角方向から見たとき上記第１のガス遮断器と上記第２のガス遮断器とが重ならないように対向させ、上記第１のガス遮断器の上記ブッシングを上記第２のガス遮断器とは反対側に傾斜するようにして、上記第１のガス遮断器の上記ブッシングと上記第２のガス遮断器の上記ブッシングとの上記各充電部間が必要な気中絶縁距離になるようにしたことを特徴とするガス絶縁開閉装置。
【請求項３】
請求項２において、上記第１のガス遮断器と上記第２のガス遮断器に対向した側の上記第１のガス遮断器の上記ブッシングとの間に、上記第１のガス遮断器と上記第２のガス遮断器に対向した側の上記第１のガス遮断器の上記ブッシングとの間を開閉可能な第１の断路器を配置し、上記第２のガス遮断器と上記第１のガス遮断器に対向した側の上記第２の遮断器の上記ブッシングとの間に、上記第２のガス遮断器と上記第１のガス遮断器に対向した側の上記第２のガス遮断器の上記ブッシングとの間を開閉可能な第２の断路器を配置し、上記第１のガス遮断器と上記第１のガス遮断器に対向した側の上記第２のガス遮断器の上記ブッシングとの間を開閉可能な第３の断路器を、上記第１の線上で上記第２のガス遮断器に対向する側の延長線上に配置し、上記第２のガス遮断器と上記第２のガス遮断器に対向した側の上記第１のガス遮断器の上記ブッシングとの間を開閉可能な第４の断路器を、上記第２の線上で上記第１のガス遮断器に対向する側の延長線上に配置したことを特徴とするガス絶縁開閉装置。
【請求項４】
請求項１から請求項３のいずれか一項において、上記第２の遮断器と対向する側に上記第１のガス遮断器の操作機構を配置し、上記第１の遮断器と対向する側に上記第２のガス遮断器の操作機構を配置したことを特徴とするガス絶縁開閉装置。
【発明の詳細な説明】
【０００１】
【発明の属する技術分野】
この発明は、気中母線と接続するブッシングを有するガス絶縁開閉装置に関するものである。
【０００２】
【従来の技術】
図８は、２台のガス遮断器を軸方向に配置した従来のガス絶縁開閉装置の構成を示す正面図である。図８において、ガス遮断器１，２の軸方向が同一軸上になるように配置されてコンクリートで作られた土台となる基礎部３，４上に各遮断器１，２の操作機構５，６が対向するように設置されている。そして、各ガス遮断器１，２の両端にはそれぞれ一対のブッシング７〜１０が取り付けられている。ガス遮断器１，２側より充電部７ａ，８ａ間及び充電部９ａ，１０ａ間の相互間の距離が絶縁上で必要な気中絶縁距離ｄになるようにブッシング７，８はガス遮断器１に取り付けられ、またブッシング９，１０はガス遮断器２に取り付けられている。さらに、隣接したガス遮断器１の一方のブッシング７の充電部７ａとガス遮断器２の一方のブッシング９の充電部９ａとの相互間も絶縁上で必要な気中絶縁距離ｄになるように、各遮断器１，２が配置されている。また、各操作機構５，６の下方の各基礎３，４にケーブルピット１１，１２が設けられて、操作機構５，６を操作する制御用ケーブルが収納されている。なお、各ブッシング７〜１０の充電部７ａ〜１０ａは気中母線（図示せず）に接続される。
【０００３】
【発明が解決しようとする課題】
従来のガス絶縁開閉装置は以上のように構成されているので、隣接したブッシング７，９の各充電部７ａ，９ａ間を絶縁上で必要な気中絶縁距離ｄを確保するため、各遮断器１，２間を拡げて配置しており、変電所等の占有面積及び基礎部３，４が大きくなり敷設費用が高くなるという問題点があった。
この発明は以上のような問題点を解消するためになされたもので、基礎部及び占有面積の縮小化を図ることができるガス絶縁開閉装置を提供することを目的としたものである。
【０００４】
【課題を解決するための手段】
この発明に係わるガス絶縁開閉装置は、先端の充電部が気中接続される一対のブッシングをそれぞれ両端に備えた第１のガス遮断器及び第２のガス遮断器からなるガス絶縁開閉装置において、第１のガス遮断器と第２のガス遮断器とを基礎部の同一線上に配置して、第１のガス遮断器の上記ブッシングを充電部間が必要な気中絶縁距離になるように線上で所定の角度で同一方向に傾斜させ、第２のガス遮断器のブッシングを充電部間が必要な気中絶縁距離になるように、第１のガス遮断器のブッシングとは逆方向に線上で所定の角度で同一方向に傾斜させ、隣接した第１のガス遮断器のブッシングと第２のガス遮断器のブッシングとの各充電部間が必要な気中絶縁距離になるようにしたものである。
また、第１のガス遮断器を基礎部の第１の線上に配置して、第１のガス遮断器のブッシングを充電部間が必要な気中絶縁距離になるように第１の線上で所定の角度で同一方向に傾斜させ、第２のガス遮断器を基礎部の第１の線と平行な第２の線上に配置して、第２のガス遮断器のブッシングを充電部間が必要な気中絶縁距離になるように、第１のガス遮断器のブッシングとは逆方向に所定の角度で同一方向に傾斜させて、両軸の直角方向から見たとき第１のガス遮断器と第２のガス遮断器とが重ならないように対向させ、第１のガス遮断器のブッシングと第２のガス遮断器のブッシングとの各充電部間が必要な気中絶縁距離になるようにしたものである。
また、第１のガス遮断器と第２のガス遮断器に対向した側の第１のガス遮断器のブッシングとの間に、第１のガス遮断器と第２のガス遮断器に対向した側の第１のガス遮断器のブッシングとの間を開閉可能な第１の断路器を配置し、第２のガス遮断器と第１のガス遮断器に対向した側の第２のガス遮断器のブッシングとの間に、第２のガス遮断器と第１のガス遮断器に対向した側の第２の遮断器のブッシングとの間を開閉可能な第２の断路器を配置し、第１のガス遮断器と第１のガス遮断器に対向した側の第２のガス遮断器のブッシングとの間を開閉可能な第３の断路器を、第１の線上で第２のガス遮断器に対向する側の延長線上に配置し、第２のガス遮断器と第２のガス遮断器に対向した側の第１のガス遮断器のブッシングとの間を開閉可能な第４の断路器を、第２の線上で第１のガス遮断器に対向する側の延長線上に配置したものである。
さらに、第２の遮断器と対向する側に第１のガス遮断器の操作機構を配置し、第１の遮断器と対向する側に第２のガス遮断器の操作機構を配置したものである。
【０００５】
【発明の実施の形態】
実施の形態１．
図１は実施の形態１の構成を示す正面図、及び図２は図１の平面図である。図１及び図２において、１３はコンクリート等の基礎部、１４は基礎部１３に配置された第１のガス遮断器、１５は第２のガス遮断器で、第１のガス遮断器１４と同一線１６上になるように基礎部１３に設置されている。１７，１８は第１のガス遮断器１４の各端に接続された一対のブッシングで、先端の充電部１７ａ，１８ａ間が少なくとも必要な気中絶縁距離ｄになるように、線１６上で図示左方側に所定の角度で同一方向に傾斜するように構成されている。１９，２０は第２のガス遮断器１５の各端に接続された一対のブッシングで、先端の充電部１９ａ，２０ａが必要な気中絶縁距離ｄになるように、線１６上でブッシング１７，１８とは逆方向の図示右方側に所定の角度で同一方向に傾斜するように構成されている。そして、第１のガス遮断器１４のブッシング１７，１８は第２のガス遮断器１５とは反対側に傾斜するように配置する。２１は第１のガス遮断器１４の操作機構で、第２のガス遮断器１５と対向する側に配置されている。２２は第２のガス遮断器１５の操作機構で、第１のガス遮断器１４と対向する側に配置されている。２３は各操作機構２１，２２に配線される制御用ケーブルが収納されるケーブルピットで、各操作機構２１，２２の下方の基礎部１３に設けられている。
【０００６】
以上のように、所定の角度で同一方向に傾斜させた第１のガス遮断器１４のブッシング１７，１８とは逆方向に、第２のガス遮断器１５のブッシング１９，２０を所定の角度で同一方向に傾斜させることにより各遮断器１４，１５間を狭めて配置しても、第１の遮断器１４のブッシング１７と第２の遮断器１５のブッシング１９との各充電部１７ａ，１９ａ間が少なくとも必要な気中絶縁距離ｄを確保できるので、基礎部１３及び占有面積の縮小化を図ることができるため、敷設費の低減をはかることができる。
さらに、各操作機構２１，２２が接近した位置になるので、保守が容易になると共に、ケーブルピット２３を共通化できるので、操作機構２１，２２に接続される制御用ケーブルの長さの短縮化を図ることができる。
【０００７】
実施の形態２．
図３は実施の形態２の構成を示す正面図、及び図４は図３の平面図である。図３及び図４において、１３は実施の形態１のものと同様のものである。２４は第１の線２５上で基礎部１３に設置された第１のガス遮断器、２６は第１の線２５と平行な第２の線２７上で基礎部１３に設置された第２のガス遮断器である。第２のガス遮断器２６は、両線２５，２７の直角方向から見たとき第１のガス遮断器２４と重ならないように設置すると共に、第１のガス遮断器２４と対向させて配置されている。２８，２９は第１のガス遮断器２４の各端に接続された一対のブッシングで、先端の充電部２８ａ，２９ａ間が少なくとも必要な気中絶縁距離ｄになるように、第１の線２５上で図示左方側に所定の角度で同一方向に傾斜するように構成されている。３０，３１は第２のガス遮断器２６の各端に接続された一対のブッシングで、先端の充電部３０ａ，３１ａ間が少なくとも必要な気中絶縁距離ｄになるように、第２の線２７上でブッシング２８，２９とは逆方向の図示右方側に所定の角度で同一方向に傾斜するように構成されている。そして、第１のガス遮断器２４のブッシング２８，２９は第２のガス遮断器２６とは反対側に傾斜するように配置する。
【０００８】
なお、第１のガス遮断器２４のブッシング２８と第２のガス遮断器２６のブッシング３０は、両線２５，２７の直角方向から見たとき互いに重ならないように近接して配置されている。そして、各ブッシング２８，３０の充電部２８ａ，３０ａ間の空間距離は図４に示すように少なくとも必要な気中絶縁距離ｄになるように配置されている。３２は第１のガス遮断器２４の操作機構で、第２のガス遮断器２６と対向する側に配置されている。３３は第２のガス遮断器２６の操作機構で、第１のガス遮断器２４と対向する側に配置されている。３４は各操作機構３２，３３に配線する制御用ケーブルが収納されるケーブルピットで、各操作機構３２，３３の下方の基礎部１３に設けられている。
以上のように、各遮断器２４，２６を第１の線２５，第２の２７上に配置すると共に、両線２５及、２７の直角方向から見たとき第１のガス遮断器２４のブッシング２８と第２のガス遮断器２６のブッシング３０とを互いに重ならないように近接して配置し、かつ第１のガス遮断器２４のブッシング２８，２９と第２のガス遮断器２６のブッシング３０，３１とをそれぞれ逆方向に所定の角度で傾斜させることにより、各遮断器２４，２６を同一直線上で相互間の距離を縮めて配置した場合よりも、両線２５及、２７の直角方向から見たときの各ガス遮断器２４，２６間の距離を狭めて配置しても、隣接した第１のガス遮断器２４のブッシング２８と第２のガス遮断器２６のブッシング３０との各充電部２８ａ，３０ａ間が少なくとも必要な気中絶縁距離ｄを確保できるので、基礎部１３及び占有面積の縮小化を図ることができるため、敷設費の低減を図ることができる。
さらに、各操作機構３２，３３が接近した位置になるので、保守が容易になると共に、ケーブルピット３４を共通化できるので、操作機構３２，３３に接続される制御用ケーブルの長さの短縮化を図ることができる。
【０００９】
実施の形態３．
図５は実施の形態３の構成を示す正面図、図６は図５の平面図及び図７は図５の結線図である。図５から図７において、１３は実施の形態１と同様のものであり、２４〜３４は実施の形態２と同様のものである。３５は第１のガス遮断器２４とブッシング２８との間を開閉可能な第１の断路器で、第１のガス遮断器２４と第２のガス遮断器２６に対向した側のブッシング２８との間に配置されている。３６は第２のガス遮断器２６とブッシング３０との間を開閉可能な第２の断路器で、第２のガス遮断器２６と第１のガス遮断器２４に対向した側のブッシング３０との間に配置されている。３７は第１のガス遮断器２４と第１のガス遮断器２４に対向した側のブッシング３０との間を開閉可能な第３の断路器で、第１の線２５上で第２のガス遮断器２６に対向する側の延長線上に配置されている。３８は第２のガス遮断器２６と第２のガス遮断器２６対向した側のブッシング２８との間を開閉可能な第４の断路器で、第２の線２７上で第２のガス遮断器２６のブッシング３０側の延長線上に配置されている。３９は各断路器３５，３７間を接続したガス母線、４０は各断路器３６，３８間を接続したガス母線、４１は各断路器３５，３８間を接続したガス母線、４２は各断路器３６，３７間を接続したガス母線、４３はブッシング２８の充電部２８ａに接続された第１の気中母線、４４はブッシング３０の充電部３０ａに接続された第２の気中母線である。
【００１０】
上記構成において、第３の断路器３７及び第４の断路器３８が開路されて、ブッシング２９、第１のガス遮断器２４、第１の断路器３５、ブッシング２８及び第１の気中母線４３の経路で電力の授受がされ、ブッシング３１、第２のガス遮断器２６、第２の断路器３６、ブッシング３０及び第２の気中母線４４の経路で電力の授受がされているとする。ここで、例えば、第１の気中母線４３側に支障が生じて電力の授受が不能になったとき、第１のガス遮断器２４を開いてから第１の断路器３５を開路し、続いて第３の断路器３７を閉路した後、第１のガス遮断器２４を閉路することにより、ブッシング２９、第１のガス遮断器２４、第３の断路器３７、ブッシング３０及び第２の気中母線４４の経路で電力の授受を行うことが出来る。
以上のように、第１の線２５上に配置した第１のガス遮断器２４のブッシング２８，２９と、第２の線２７上に配置した第２のガス遮断器２６のブッシング３０，３１とをそれぞれ逆方向に所定の角度で傾斜させることにより、断路器３５〜３８を配置した場合でも、各ガス遮断器２４，２６間を狭めて配置することができるので、基礎部１３及び占有面積の縮小化を図ることができ、敷設費の低減を図ることができる。
【００１１】
【発明の効果】
この発明によれば、所定の角度で同一方向に傾斜させた第１のガス遮断器のブッシングとは逆方向に、第２のガス遮断器のブッシングを所定の角度で傾斜させることにより、各遮断器間の距離を狭めて配置しても第１の遮断器のブッシングと第２の遮断器のブッシングとの各充電部間が少なくとも必要な気中絶縁距離を確保できるので、基礎部及び占有面積の縮小化を図ることができるため、敷設費の低減をはかることができる。
また、第１の線上に配置した第１のガス遮断器のブッシングと第２の線上に配置した第２のガス遮断器のブッシングとをそれぞれ逆方向に所定の角度で傾斜させると共に、第１の線及び第２の線の直角方向から見たときに第１のガス遮断器と第２のガス遮断器とが重ならないように対向させると共に、第１のガス遮断器のブッシングと第２のガス遮断器のブッシングとの各充電部間が必要な気中絶縁距離になるようにしたことにより、各ガス遮断器間の距離を狭めて配置しても、第１のガス遮断器のブッシングと第２のガス遮断器のブッシングとの各充電部間が少なくとも必要な気中絶縁距離を確保できるので、基礎部及び占有面積の縮小化を図ることができるため、敷設費の低減を図ることができる。
また、第１の線上に配置した第１のガス遮断器のブッシングと、第２の線上に配置した第２のガス遮断器のブッシングとをそれぞれ逆方向に所定の角度で傾斜させて両ガス遮断器を配置したので、第１の断路器から第４の断路器を配置した場合でも各ガス遮断器間の距離を狭めることができ、基礎部及び占有面積の縮小化を図ることができるため、敷設費の低減を図ることができる。
さらに、第２の遮断器と対向する側に第１のガス遮断器の操作機構を配置し、第１の遮断器と対向する側に第２のガス遮断器の操作機構を配置することができるので、各操作機構が接近した位置になり、保守が容易になると共に、ケーブルピットを共通化できるので、操作機構に接続される制御用ケーブルの長さの短縮化を図ることができる。
【図面の簡単な説明】
【図１】この発明の実施の形態１の構成を示す正面図である。
【図２】図１の平面図である。
【図３】この発明の実施の形態２の構成を示す正面図である。
【図４】図３の平面図である。
【図５】この発明の実施の形態３の構成を示す正面図である。
【図６】図５の平面図である。
【図７】図５の結線図である。
【図８】２台のガス遮断器を軸方向に配置した従来のガス絶縁開閉装置の構成を示す正面図である。
【符号の説明】
１３　基礎部、１４，２４　第１のガス遮断器、
１５，２６　第２のガス遮断器、１６　軸、
１７〜２０，２８〜３１　ブッシング、
１７ａ〜２０ａ，２８ａ〜３１ａ　充電部、
２１，２２，３２，３３　操作機構、２５　第１の軸、２７　第２の軸、
３５　第１の断路器、３６　第２の断路器、３７　第３の断路器、
３８　第４の断路器。
【図１】
2004040980.tif 000003
【図２】
2004040980.tif 000004
【図３】
2004040980.tif 000005
【図４】
2004040980.tif 000006
【図５】
2004040980.tif 000007
【図６】
2004040980.tif 000008
【図７】
2004040980.tif 000009
【図８】
2004040980.tif 000010